(57)【特許請求の範囲】
【請求項１】
第一の光軸に沿って被写体から入射した光を、反射部材により前記第一の光軸に対して略直交する第二の光軸に沿って反射させる折り曲げ光学系を有する撮影光学系を備えた撮影レンズユニットであって、
光入射端を有するレンズ鏡筒と、
このレンズ鏡筒の光入射端から入射した光に基づく被写体像を結像可能な如く設けられた少なくともズーム用レンズ群及びフォーカス用レンズ群を含む撮影レンズ群と、
この撮影レンズ群により結像された被写体像を光電変換するように前記レンズ鏡筒に設けられた撮像素子と、
この撮像素子の受光面前方における前記撮影レンズ群の光軸に沿って配置された光学部材と、
前記撮影レンズ群の中のズーム用レンズ群を駆動するためのズーム用アクチュエータと、
前記撮影レンズ群の中のフォーカス用レンズ群を駆動するためのフォーカス用アクチュエータとを備え、
前記第一の光軸と前記第二の光軸とを含む平面を境として一方に存在する第一の領域内であって前記光学部材の一方側の側方に、前記フォーカス用アクチュエータを収容可能な第一の空間が形成されるとともに、前記レンズ鏡筒の前部外方であって、且つ前記第一の領域内の前記反射部材に近接した位置に前記ズーム用アクチュエータが配置され、前記ズーム用アクチュエータと前記フォーカス用アクチュエータとの間に、前記撮影レンズ群のうちの少なくとも一つのレンズが配置されていることを特徴とする撮影レンズユニット。
【請求項２】
前記フォーカス用アクチュエータを含む駆動系に対して電力を供給可能な如くに設けられ、厚み方向に屈曲可能な帯状のフレキシブルプリント基板を更に備え、
前記光学部材の他方側の外面と前記レンズ鏡筒の内面との間に、前記フレキシブルプリント基板の屈曲により生じた撓み部を収容可能な第二の空間が形成されており、この第二の空間は、前記第一の光軸と前記第二の光軸とを含む平面を境として他方に存在する第二の領域内にあることを特徴とする請求項１に記載の撮影レンズユニット。
【請求項３】
前記フレキシブルプリント基板は、複数のプリント基板からなり、且つ各プリント基板は略同一部位で同方向に屈曲され、屈曲により生じた撓み部が、前記第二の空間に対して重なり合った状態で収納可能となっていることを特徴とする請求項２に記載の撮影レンズユニット。
【請求項４】
請求項１ないし３のいずれか一つに記載の撮影レンズユニットを内蔵したことを特徴とする電子カメラ。
【発明の詳細な説明】
【０００１】
【発明の属する技術分野】
本発明は、レンズ鏡筒に撮影光学系及びアクチュエータ類を一体的に設けた撮影レンズユニットおよび当該撮影レンズユニットを備えた電子カメラに関する。
【０００２】
【従来の技術】
一般に、電子カメラは携帯性および使い勝手等の点から、薄型化が強く望まれている。このため電子カメラに搭載する撮影レンズユニットとして、例えば特開２００１−７５１６２号公報に示されているような、光軸折り曲げ式の撮影光学系を備えた撮影レンズユニットが提案されている。
【０００３】
この光軸折り曲げ式の撮影光学系を備えた撮影レンズユニットは、カメラ本体の前面より第一の光軸に沿って入射した被写体からの光を、ミラーやプリズム等の反射部材により上記第一の光軸に対して略直交しカメラ本体の幅方向に延びる第二の光軸に沿って反射させ、撮像素子へ導くものである。この光軸折り曲げ式の撮影光学系を備えた撮影レンズユニットにおいては、撮影光学系の主要部分が第二の光軸に沿って配置されることにより、カメラ本体の厚み寸法が小さくなり、薄型化を図リ得るものとなる。
【０００４】
【発明が解決しようとする課題】
従来のものは、光軸折り曲げ式の撮影光学系を備えた撮影レンズユニットを含め、ＡＦモータ等のアクチュエータ類の配置等に関しては、格別の配慮がなされていない。このためＡＦモータ等のアクチュエータ類の配置如何によっては、撮影レンズユニット自体が必ずしも薄型にならない場合もあった。
【０００５】
本発明は、このような事情に基づいてなされたものであり、その目的は、下記のような利点を有する撮影レンズユニットおよび電子カメラを提供することにある。
【０００６】
（ａ）アクチュエータ類その他のものをレンズ鏡筒に対してコンパクトに配置でき、装置の薄型化ないし小型化を図れる。
【０００７】
（ｂ）構成は簡単であり、容易に製作する事ができる。
【０００８】
【課題を解決するための手段】
前記課題を解決し目的を達成するために、本発明の撮影レンズユニットおよび電子カメラは下記のような特徴ある構成を有している。なお下記以外の特徴ある構成については実施形態の中で明らかにする。
【０００９】
（１）本発明の撮影レンズユニットは、
第一の光軸に沿って被写体から入射した光を、反射部材（プリズム等）により前記第一の光軸に対して略直交する第二の光軸に沿って反射させる折り曲げ光学系を有する撮影光学系を備えた撮影レンズユニットであって、光入射端を有するレンズ鏡筒と、このレンズ鏡筒の光入射端から入射した光に基づく被写体像を結像可能な如く設けられた少なくともズーム用レンズ群（２群レンズ）及びフォーカス用レンズ群（３群レンズ）を含む撮影レンズ群（１群レンズ〜３群レンズ）と、この撮影レンズ群（１群レンズ〜３群レンズ）により結像された被写体像を光電変換するように前記レンズ鏡筒に設けられた撮像素子と、この撮像素子の受光面前方における前記撮影レンズ群（１群レンズ〜３群レンズ）の光軸に沿って配置された光学部材（４群レンズ、ローパスフィルター）と、前記撮影レンズ群（１群レンズ〜３群レンズ）の中のズーム用レンズ群（２群レンズ）を駆動するためのズーム用アクチュエータ（ズームモータ）と、前記撮影レンズ群の中のフォーカス用レンズ群（３群レンズ）を駆動するためのフォーカス用アクチュエータ（ＡＦモータ）とを備え、前記第一の光軸と前記第二の光軸とを含む平面を境として一方に存在する第一の領域内であって前記光学部材（４群レンズ、ローパスフィルター）の一方側の側方に、前記フォーカス用アクチュエータ（ＡＦモータ）を収容可能な第一の空間が形成されるとともに、前記レンズ鏡筒の前部外方であって、且つ前記第一の領域内の前記反射部材に近接した位置に前記ズーム用アクチュエータ（ズームモータ）が配置され、前記ズーム用アクチュエータ（ズームモータ）と前記フォーカス用アクチュエータ（ＡＦモータ）との間に、前記撮影レンズ群（１群レンズ〜３群レンズ）のうちの少なくとも一つのレンズが配置されていることを特徴としている。
【００１０】
前記撮影レンズユニットにおいては、ズーム用アクチュエータ（ズームモータ）及び前記フォーカス用アクチュエータ（ＡＦモータ）がレンズ鏡筒内に整然と配置されるので、レンズ鏡筒内のスペースが有効に活用され得る。
【００１１】
（２）本発明の電子カメラは、前記（１）に記載の撮影レンズユニットを内蔵したことを特徴としている。
【００１２】
【発明の実施の形態】
（第１実施形態）
図１の（ａ）（ｂ）は本発明の第１実施形態に係る電子カメラの概略的構成を示す図で、（ａ）は電子カメラの概要を示す略式外観図、（ｂ）は撮影レンズユニットを裏蓋を取外して示す外観斜視図である。また図２は同実施形態に係る撮影レンズユニットをメイン機構Ａとズーム機構Ｂと裏蓋Ｃとに分離して示す分解斜視図である。さらに図３の（ａ）（ｂ）は同実施形態に係る撮影レンズユニットの主要部（図３の（ａ）はWIDE［広角］、図３の（ｂ）はTELE［望遠］の状態を示す）を正面から見た断面図であり、図４は同実施形態に係る撮影レンズユニットの主要部を上面から見た略式断面図である。
【００１３】
図１の（ａ）に示すように、電子カメラ本体１の内部には、撮影光学系１０５を有する撮影レンズユニット１００と、ファインダ光学系２０５を有する光学ファインダユニット２００とが、両者間に若干の間隙をもった状態で且つ一体的に結合されて収容されている。図示の如く上記撮影レンズユニット１００と光学ファインダユニット２００とは、カメラ正面から見てカメラ本体１の右側に配置されている。
【００１４】
図１の（ｂ）および図２に示すように、撮影レンズユニット１００は、メイン機構Ａの上にズーム機構Ｂを一体的に取付けたものとなっている。メイン機構Ａは、光軸折り曲げ機構１１０と、この光軸折り曲げ機構１１０に光入射端側を連結させたレンズ鏡筒１２０とを有している。
【００１５】
図３の（ａ）（ｂ）および図４に示すように、光軸折り曲げ機構１１０は、撮影レンズ１１１およびプリズム１１２を保持部材１１３で保持し、且つレンズ鏡筒１２０に連結している。かくして撮影光学系１０５は、上記光軸折り曲げ機構１１０による折り曲げ光学系１ＰＸを備えている。すなわち上記折り曲げ光学系１ＰＸは、第一の光軸（入射光軸）０１１に沿って被写体から入射した光を、反射部材としてのプリズム１１２により上記第一の光軸０１１に対して略直角な第二の光軸０１２に沿って反射させる光学系であり、第一の光軸０１１に沿った折り曲げ前光学系１ＰＡと、第二の光軸０１２に沿った折り曲げ後光学系１ＰＢとからなっている。
【００１６】
図３の（ａ）（ｂ）および図４に示すように、レンズ鏡筒１２０の内部には、光入射端から入射した光に基づいて被写体像を結像可能な如く設けられた１群レンズ１２１、２群レンズ１２２（撮影用ズームレンズ）、３群レンズ１２３（フォーカス用レンズ）を含む撮影レンズ群が収容されている。この撮影レンズ群（１群レンズ１２１〜３群レンズ１２３）により結像された被写体像は、レンズ鏡筒１２０の光軸終端部に配置された撮像素子１２６により光電変換される。この撮像素子１２６には入出力端子列１７３（１７３ａ，１７３ｂ）が付設されている。本実施形態の撮影光学系１０５は、折り曲げ光学系１ＰＸを有し、その光軸０１２の終端に撮像素子１２６が配置されたデジタルカメラ用光学系を構成している。上記撮像素子１２６の受光面前方における光軸０１２上には、４群レンズ１２４，ローパスフィルター１２５からなる光学部材１３０が配置されている。
【００１７】
このように、撮影レンズ群（１群レンズ１２１〜３群レンズ１２３），光学部材１３０（４群レンズ１２４，ローパスフィルター１２５），撮像素子１２６等は、すべて前記第二の光軸０１２に沿って形成されている折り曲げ後光学系１ＰＢ内に配設されている。
【００１８】
前記１群レンズ１２１〜３群レンズ１２３は、各群レンズ保持枠１３１〜１３３によってそれぞれ保持されている。また４群レンズ１２４，ローパスフィルター１２５からなる光学部材１３０は保持枠１３４で保持されている。これら保持枠のうち、２群レンズ保持枠１３２及び３群レンズ保持枠１３３は、一対のガイド軸１７１，１７２に案内されて前記光軸０１２の方向へ移動可能に設けられている。上記２群レンズ保持枠１３２の前面にはシャッタユニット１６０が搭載されている。また３群レンズ保持枠１３３の後面には当該３群レンズ保持枠１３３を駆動するための駆動源すなわちアクチュエータとしてのＡＦ（オートフォーカス）モータ１４０が搭載されている。
【００１９】
上記ＡＦモータ１４０やシャッタユニット１６０を駆動するための駆動機構（不図示）などの駆動系に対して電力を供給可能な如く、厚み方向に屈曲可能な帯状のフレキシブルプリント基板１５０（１５１，１５２）が、レンズ鏡筒外からレンズ鏡筒内へ導入されている。導入された各フレキシブルプリント基板１５１，１５２の先端部位は、略同一部位で同方向にＵ字状に屈曲されたのち、２群レンズ保持枠１３２，３群レンズ保持枠１３３にそれぞれ固定され、所定の配線が施されている。すなわち上記プリント基板１５１の先端１５１ａは、シャッタユニット１６０の駆動機構（不図示）に接続され、上記プリント基板１５２の先端１５２ａは、ＡＦモータ１４０に接続されている。
【００２０】
図３の（ａ）（ｂ）に示すように、前記光学部材１３０（４群レンズ１２４，ローパスフィルター１２５）を保持している保持部材１３４の一方側（図中上方側）の外面と前記レンズ鏡筒１２０の内面との間には、前記ＡＦモータ１４０を収容可能な空間ＳＡ１が形成されている。また上記保持部材１３４の他方側（図中下方側）の外面と前記レンズ鏡筒１２０の内面との間には、前記フレキシブルプリント基板１５１，１５２の屈曲により生じた撓み部１５１ｂ，１５２ｂを収容可能な第二の空間ＳＡ２が形成されている。なおフレキシブルプリント基板１５１，１５２は屈曲により生じた撓み部１５１ｂ，１５２ｂが、前記第二の空間ＳＡ２に対して重なり合った状態で収容されるものとなっている。
【００２１】
前記第一の空間ＳＡ１および第二の空間ＳＡ２は、前記第一の光軸０１１と前記第二の光軸０１２とを含む平面を境として一方（図中上方）に存在する第一の領域Ｅ１および他方（図中下方）に存在する第二の領域Ｅ２にそれぞれ形成されている。
【００２２】
レンズ保持枠１３３の一部には、当該レンズ保持枠１３３の動きに伴う上記フレキシブルプリント基板１５１，１５２の撓み部１５１ｂ，１５２ｂの変動範囲を規制するための規制部材１５５が設けられている。
【００２３】
図２に説明を戻す。ズーム機構Ｂは、メイン機構Ａに対して着脱自在に結合可能なユニットとして別設されている。このズーム機構Ｂは第一のズームレンズ移動手段（１８０〜１８４，１９１）及びファインダ駆動手段（１９２，１９３）を備えている。
【００２４】
上記第一のズームレンズ移動手段は、取付けフレーム１８１に装着された駆動源すなわちアクチュエータとしてのズームモータ１８０と、このズームモータ１８０の動力で回転動作するリードスクリュー１８２と、このリードスクリュー１８２により駆動され、光軸０１２と平行に設けられたガイド軸１８３に沿って摺動し、前記ズームレンズ１２２を駆動操作するための駆動部材１９１とを備えている。
【００２５】
ファインダ駆動手段は、前記駆動部材１９１の移動に伴い前記ガイド軸１８３に沿って摺動するように設けられた摺動部材１９２と、この摺動部材１９２の上に突設された駆動力伝達子としての駆動ピン１９３とを備えている。摺動部材１９２は後述するようにスプリング１８４を介して２群レンズ保持枠１３２に連結される。このファインダ駆動手段に関しては、後で詳しく説明する。
【００２６】
前記駆動部材１９１と、摺動部材１９２と、駆動ピン１９３とは、変位伝達用スライダー１９０を構成している。
【００２７】
取付けフレーム１８１に設けてある取付孔１８５ａ，１８５ｂを介してメイン機構Ａのねじ穴１２７ａ，１２７ｂに対してねじ止めすることで、ズーム機構Ｂはメイン機構Ａと一体化される。
【００２８】
裏蓋Ｃは、板状部材１２８に設けてある取付孔１２８ｂを通して、取り付けねじ１２８ａをメイン機構Ａのねじ穴１２７ｃにねじ止めすることで、メイン機構Ａと一体化される。
【００２９】
メイン機構Ａとズーム機構Ｂとが一体化された状態においては、前記ズームモータ１８０は、前記ＡＦモータ１４０と共に前記第一の領域Ｅ１内に配置される。そしてズームモータ１８０は、前記レンズ鏡筒１２０の前部外方であって、且つ前記第一の領域Ｅ１内に存在する前記プリズム１１２に近接して配置される。上記ＡＦモータ１４０とズームモータ１８０との間には、前記撮影レンズ群（１群レンズ１２１〜３群レンズ１２３）のうちの少なくとも一つのレンズが配置されている。
【００３０】
図５の（ａ）（ｂ）は本実施形態に係る撮影レンズユニット１００のファインダ駆動手段（１９２，１９３）の構成を前記駆動部材１９１と共に示す図であり、（ａ）は主要部の側面図、（ｂ）は（ａ）のｂ−ｂ矢視断面図である。
【００３１】
ファインダ駆動手段（１９２，１９３）は、前記第一のズームレンズ移動手段（１８０〜１８４，１９１）による前記撮影光学系１０５のズームレンズ１２２の動きに対し、後述する前記第二のズームレンズ移動手段（２４０，２５０，２７０）を連動させ、ファインダ光学系２０５のズームレンズ２２２を移動させる手段である。
【００３２】
図５の（ａ）（ｂ）に示すように、摺動部材１９２はＬ形部材の一方の部片の端縁部に円筒形をなす二つの脚部１９２ａ，１９２ｃを有している。上記二つの脚部１９２ａ，１９２ｃは、所定距離だけ離間して設けられており、前記駆動部材１９１の円筒形をなす脚部１９１ａの両端を両側から挟み付けるような態様でガイド軸１８３に嵌め込まれている。上記脚部１９２ａ，１９２ｃは、ガイド軸１８３に対し、軸方向に摺動自在であると共に軸周り方向にも回動自在に嵌め込まれている。摺動部材１９２は、Ｌ形部材の他方の部片の略中央に回動範囲規制手段としての開口部１９２ｂを有している。上記開口部１９２ｂは駆動部材１９１の上部に形成されている突起１９１ｂに所定の遊びをもって嵌合している。
【００３３】
摺動部材１９２の下部には突片１９２ｄが設けられている。この突片１９２ｄと、前記２群レンズ保持枠１３２に設けられている突片１３２ａとの間には、付勢部材としての引っ張りばね１８４が張設されている。かくして前記摺動部材１９２は、引っ張りばね１８４の付勢力により、前記駆動部材１９１に対し圧接した状態で連結されている。
【００３４】
したがって摺動部材１９２は、前記駆動部材１９１の動きに連動してガイド軸１８３に沿って前記光軸０１２方向へ移動すると共に、上記遊びに相当する角度だけガイド軸周りに回動可能となっている。かくして摺動部材１９２の上に突設されている駆動力伝達子としての駆動ピン１９３は、光軸０１２方向以外の特定方向（前記光軸に対して直交する方向）に対し、所定の角度範囲内で矢印Ｍ，Ｎで示す如く変位自在となている。
【００３５】
図６の（ａ）（ｂ）は本実施形態に係る撮影レンズユニット１００と光学ファインダユニット２００との対応関係を示す図で、（ａ）は撮影レンズユニット１００と光学ファインダユニット２００とを分離して示す斜視図であり、（ｂ）はファインダ光学系２０５の概略的構成を示す略式平面図である。
【００３６】
図６の（ａ）（ｂ）に示すように、撮影レンズユニット１００は、ケース１０１の内部に折り曲げ光学系１ＰＸを含む撮影光学系１０５を有している。そして上記ケース１０１は、折り曲げ光学系１ＰＸの入射光軸０１１（この入射光軸は前記カメラ本体１の厚み方向に一致している）に平行な方向の寸法Ｌ１１が、上記入射光軸０１１と直角な方向（前記カメラ本体１の幅方向に一致している）の寸法Ｌ１２より短い寸法に設定された外形形状（略直方体形状）を有している。
【００３７】
また光学ファインダユニット２００は、ケース２０１の内部に折り曲げ光学系２ＰＸを含むファインダ光学系２０５を有している。そして上記ケース２０１は入射光軸０２１に平行な方向の寸法Ｌ２１及び直角な方向の寸法Ｌ２２が、前記撮影レンズユニット１００における各寸法Ｌ１１，Ｌ１２に近似した外形形状を有している。
【００３８】
光学ファインダユニット２００は、撮影レンズユニット１００の上面に若干の間隙を隔てて載置固定される。すなわち、撮影レンズユニット１００のケース１０１の上面に突出している前記ファインダ取付け用ボス１２９ａ，１２９ｂに対し、ケース２０１の取付け部に設けた取付け孔２０２ａ，２０２ｂを通してねじ止めすることにより、光学ファインダユニット２００は撮影レンズユニット１００の上に固定される。このときファインダ光学系２０５の折り曲げ前光学系２ＰＡ及び折り曲げ後光学系２ＰＢが、撮影光学系１０５の折り曲げ前光学系１ＰＡ及び折り曲げ後光学系１ＰＢにそれぞれ隣接するように、光学ファインダユニット２００は撮影レンズユニット１００に対し一体的に結合される。本実施形態では撮影光学系１０５における折り曲げ前光学系１ＰＡの光軸（入射光軸０１１）の真上に、ファインダ光学系２０５における折り曲げ前光学系２ＰＡの光軸（入射光軸０２１）が位置するように配置されている。
【００３９】
前記撮影レンズユニット１００における撮影用ズームレンズ１２２を含むレンズ群１０６は、前記撮影光学系１０５の折り曲げ後光学系１ＰＢに設けられている。また前記光学ファインダユニット２００における観察用ズームレンズ２２２を含むレンズ群２０６は、前記ファインダ光学系２０５の折り曲げ前光学系２ＰＡに設けられとしている。したがって前記撮影用ズームレンズ１２２の移動方向は、カメラ本体１の幅方向に平行な方向であり、前記観察用ズームレンズ２２２の移動方向は、カメラ本体１の厚み方向に平行な方向であり、両者は直角に交差している。
【００４０】
上記撮影レンズユニット１００と光学ファインダユニット２００との組付け完了状態において、撮影レンズユニット１００の上方に突出している前記駆動ピン１９３は、光学ファインダユニット２００のケース底板に設けた開口部２６３を通して、光学ファインダユニット２００内の第二のズームレンズ移動手段（後述する）に係合する。符号１０３は撮影レンズ窓、符号２０３はファインダ前窓、符号２０４はファインダ接眼窓である。
【００４１】
図７は光学ファインダユニット２００の構成を示す分解斜視図である。光学ファインダユニット２００は、図の中央部位に示すユニット基体２１０を中心に構成されている。このユニット基体２１０は前記ファインダ光学系２０５を構成する光学部品２２０を収容可能なように、複数箇所で屈折を繰り返して蛇行する樋状の収容凹部２１２を有している。光学部品２２０は、後述する１群レンズ２２１（１-Ｏ），２群レンズ（観察用ズームレンズ）２２２（２Ｔ），３群レンズ２２３（３Ｔ），を含むファインダレンズ群２０６と、光軸折り曲げ機構２２４と、折り曲げ後光学系２ＰＢを収容している鏡筒２２５とを備えている。収容凹部２１２の開口部は上蓋２３０で塞がれる。
【００４２】
前記ユニット基体２１０の底板には、前記撮影レンズユニット１００の光軸０１２に平行な直線状のスリット（貫通溝）からなる駆動ピンガイド部２１３が設けられている。この駆動ピンガイド部２１３は、図中下端部位に示されている撮影レンズユニット１００側の駆動ピン１９３と係合して当該駆動ピン１９３の前記特定方向すなわち上記光軸０１２と直交する方向への位置規制を行ない、駆動ピン１９３が前記光軸０１２方向へのみ移動することを許容する。
【００４３】
ユニット基体２１０の底板下面には、第二のズームレンズ移動手段としてのカムレバー２４０，２５０，および支軸２７０等がレバー押さえ板２６０で押さえ付けられた状態で設けられている。符号２６２はレバー押さえ板２６０を取付けるための係止片である。第二のズームレンズ移動手段（２４０，２５０，２７０）は、前記ガイド部２１３により動きを規制された前記駆動ピン１９３の移動に伴って、ファインダ光学系２０５における観察用ズームレンズ２２２等を当該ファインダ光学系の光軸０２１方向に移動させるものである。
【００４４】
前記ズームレンズ移動手段を構成する薄板からなる複数（本実施形態では二つ）の駆動板としてのカムレバー２４０，２５０は、各基端部が軸支され、各先端部がそれぞれ回動可能な如く積層状態で装着されている。すなわちカムレバー２４０及び２５０に設けた軸孔２４１及び２５１は、ユニット基体２１０底板の設けた軸受２１１、レバー押さえ板２６０の軸受２６１で支持される支軸２７０によって共通に軸支されており、カムレバー２４０，２５０の各先端部がそれぞれ回動可能になっている。
【００４５】
カムレバー２４０，２５０の略中央部位には、円弧状のスリットからなるカム部２４３，２５３が形成されている。前記駆動ピン１９３は、前記レバー押さえ板２６０の開口部２６３を通して上記カム部２５３，２４３を貫通し、更にその貫通端部が前記スリット状のガイド部２１３に貫通係合するように設けられている。
【００４６】
かくして駆動ピン１９３が前記光軸０１２方向に移動するのに伴って、カムレバー２４０，２５０は各カム部２４３，２５３の形状にしたがって回動し、撮影光学系１０５の撮影用ズームレンズ１２２の移動量をファインダ光学系２０５の観察用ズームレンズ１２２の移動量に変換する。この変換された移動量は、カムレバー２４０，２５０の各先端に設けられた移動操作部２４２，２５２によって前記レンズ群２０６の２群レンズ（撮影用ズームレンズ）２２２及び３群レンズ２２３にそれぞれ伝えられる。この結果、少なくとも撮影用ズームレンズ１２２の移動変位が、変位伝達手段（１９０，２４０，２５０，２７０等）によって、前記観察用ズームレンズ２２２に伝達されることになる。
【００４７】
図８及び図９は、カムレバー２４０，２５０とファインダ光学系２０５における観察用ズームレンズ２２２を含む複数（本実施形態では二つ）の移動レンズ２２２，２２３との関係を示す図である。なお図８は WIDE［広角］、図９は TELE［望遠］の状態を示している。
【００４８】
図８及び図９において、二つの移動レンズ２２２，２２３は、付勢部材２８４により、矢印で示す如くファインダ光学系２０５の光軸０２１に沿って互いに離反する方向へ付勢されている。前記カムレバー２４０，２５０の各移動操作部２４２，２５２は、前記付勢力に抗して移動レンズ群２２２，２２３の位置を制御するように、当該移動レンズ２２２，２２３を保持しているレンズ移動枠２８２、２８３に当接している。
【００４９】
前記各カムレバー２４０，２５０に設けられた各カム部２４３，２５３は、それぞれの貫通溝の両側面のうち、前記付勢力に抗する回動方向の一側面（カム部２４３においては図中右側面、カム部２５３においては図中左側面）をカム面、すなわちカム機能を発揮する上で有効な面としている。かくして駆動ピン１９３が光軸０１２の方向（図８，図９において上下方向）へ移動すると、その移動方向とは直角な方向へ移動レンズ２２２，２２３は移動するものとなる。
【００５０】
上記貫通溝の各カム面とは反対側にある各他側面の中央部位には、前記駆動ピン１９３を挿入操作するための溝幅の広い領域、すなわち略半円状をなすピン挿入操作用の切欠部２４３ａ，２５３ａがそれぞれ設けられている。上記略半円状をなす二つの切欠部２４３ａ及び２５３ａは、半円の向きが互いに逆向きになっており、且つ支軸２７０を中心とする同一回動半径ｒの軌跡上に位置している。
【００５１】
図１０は上記略半円状をなすピン挿入操作用の切欠部２４３ａ，２５３ａを利用して駆動ピン１９３をカム部２４３，２５３に挿入操作する手順を示す図である。まず図示の如く、各カムレバー２４０，２５０の回動位置を微調整することにより、略半円状をなす二つの切欠部２４３ａ，２５３ａが単一の円孔となる位置を見出す。上記単一の円孔は、その直径が駆動ピン１９３の外径に比べて若干大き目となるように予め設定されている。そこで上記若干大き目の単一の円孔に対して駆動ピン１９３を挿入操作する。こうすることにより、各カム部２４３，２５３の貫通溝に対し駆動ピン１９３を極めて容易に挿通することができる。
【００５２】
図１１は駆動ピン１９３の移動量と移動レンズ２２２，２２３の移動量との関係を模式的に示す特性図である。図示の如く、駆動ピン１９３の移動量が増大するのに伴って、二つの移動レンズ２２２，２２３は、傾斜の異なる直線（実際には非リニアな曲線を描く）で示すように別々の移動変化率で移動していく。これにより撮影用ズームレンズ１２２の移動に連動して観察用ズームレンズ２２２を含む二つの移動レンズ２２２，２２３が、所定のズーム比となるように移動する事になる。
【００５３】
ところで今、仮に、駆動ピン１９３が例えば組付け位置の誤差などにより、光軸０１２に沿った移動方向とは直角な特定方向へずれたとすると、ファインダ光学系２０５のズーム比などに狂いが生じる。例えば図示の如く、駆動ピン１９３が所定移動位置において特定方向へ+ｄだけずれたとする。そうすると二つの移動レンズ２２２，２２３の移動量が共に一定量＋ｄづつ移動してしまうことになる。その結果、二つの移動レンズ２２２，２２３の移動変化率の相対的な関係が崩れてしまい、正規のズーム比を維持できなくなる。
【００５４】
しかるに本実施形態では、前述したように、駆動ピン１９３自体は特定方向へ所定角度範囲で変位自在に設けられ、フリーな状態になっている。そしてこのフリーな状態になっている駆動ピン１９３が、前記ガイド部２１３によって、特定方向への位置規制を厳格に行なわれている。このため駆動ピン１９３の特定方向への位置ずれは生じず、上述したズーム比などに狂いが発生するおそれはない。
【００５５】
（実施形態における特徴点）
［１］実施形態に示された撮影レンズユニット１００は、
光入射端を有するレンズ鏡筒１２０と、
このレンズ鏡筒１２０の前記光入射端から入射した光に基づく被写体像を結像可能な如く設けられた、撮影レンズ群（１群レンズ１２１〜３群レンズ１２３）と、
この撮影レンズ群（１群レンズ１２１〜３群レンズ１２３）により結像された被写体像を光電変換するように前記レンズ鏡筒１２０に設けられた撮像素子１２６と、
この撮像素子１２６の受光面前方における前記撮影レンズ群（１群レンズ１２１〜３群レンズ１２３）の光軸に沿って配置された光学部材１３０（４群レンズ１２４，ローパスフィルター１２５）と、
前記撮影レンズ群（１群レンズ１２１〜３群レンズ１２３）の中の特定なレンズ（２群レンズ１２２，３群レンズ１２３）を保持し、当該撮影レンズ群（１群レンズ１２１〜３群レンズ１２３）の光軸に沿って移動可能に設けられたレンズ保持枠（２群レンズ枠１３２，３群レンズ枠１３３）と、
前記レンズ保持枠（３群レンズ枠１３３）に搭載され、当該レンズ保持枠（３群レンズ枠１３３）を移動制御するアクチュエータ（ＡＦモータ１４０）とを備え、
前記光学部材１３０（４群レンズ１２４，ローパスフィルター１２５）の一方側の外面と前記レンズ鏡筒１２０の内面との間に、前記アクチュエータ（ＡＦモータ１４０）を収容可能な空間ＳＡ１が形成されていることを特徴としている。
【００５６】
上記撮影レンズユニット１００においては、光学部材１３０（４群レンズ１２４，ローパスフィルター１２５）の一方側の外面とレンズ鏡筒１２０の内面との間に形成された空間ＳＡ１が、アクチュエータ（ＡＦモータ１４０）を収容するためのスペースとして活用される。したがってレンズ鏡筒１２０内のスペースの有効利用が図られ、ユニットの小型化ないし薄型化に寄与できる。
【００５７】
［２］実施形態に示された撮影レンズユニット１００は、前記［１］に記載の撮影レンズユニットであって、
前記アクチュエータ（ＡＦモータ１４０）を含む駆動系に対して電力を供給可能な如く設けられ、厚み方向に屈曲可能な帯状のフレキシブルプリント基板１５０を更に備え、
前記光学部材１３０（４群レンズ１２４，ローパスフィルター１２５）の一方側の外面と前記レンズ鏡筒１２０の内面との間に、前記アクチュエータ（ＡＦモータ１４０）を収容可能な第一の空間ＳＡ１が形成され、
前記光学部材１３０（４群レンズ１２４，ローパスフィルター１２５）の他方側の外面と前記レンズ鏡筒１２０の内面との間に、前記フレキシブルプリント基板１５０の屈曲により生じた撓み部を収容可能な第二の空間ＳＡ２が形成されていることを特徴としている。
【００５８】
上記撮影レンズユニット１００においては、光学部材１３０（４群レンズ１２４，ローパスフィルター１２５）の両側外面とレンズ鏡筒１２０の内面との間にそれぞれ形成された第一，第二の空間ＳＡ１，ＳＡ２が、アクチュエータ（ＡＦモータ１４０）およびフレキシブルプリント基板１５０の撓み部をそれぞれ収容するためのスペースとして活用される。したがってレンズ鏡筒１２０内のスペースの更なる有効利用が図られ、撮影レンズユニット１００の一層の小型化ないし薄型化をはかり得る。
【００５９】
［３］実施形態に示された撮影レンズユニット１００は、前記［１］又は［２］に記載の撮影レンズユニットであって、
第一の光軸０１１に沿って被写体から入射した光を、反射部材（プリズム１１２等）により上記第一の光軸０１１に対して略直交する第二の光軸Ｏ２に沿って反射させる折り曲げ光学系１ＰＸを有する撮影光学系１０５を更に備え、
前記撮影レンズ群（１群レンズ１２１〜３群レンズ１２３），前記光学部材１３０（４群レンズ１２４，ローパスフィルター１２５），及び前記撮像素子１２６は、前記第二の光軸０１２に沿って設けられていることを特徴としている。
【００６０】
上記撮影レンズユニット１００においては、前記［１］または［２］と同様の効果が、折り曲げ光学系１ＰＸを有する撮影光学系１０５を備えた撮影レンズユニットにおいて得られる。
【００６１】
［４］実施形態に示された撮影レンズユニット１００は、前記［２］に記載の撮影レンズユニットであって、
第一の光軸Ｏ１に沿って被写体から入射した光を、反射部材（プリズム１１２等）により上記第一の光軸０１１に対して略直交する第二の光軸０１２に沿って反射させる折り曲げ光学系１ＰＸを有する撮影光学系１０５を更に備え、
前記撮影レンズ群（１群レンズ１２１〜３群レンズ１２３），前記光学部材１３０（４群レンズ１２４，ローパスフィルター１２５），及び前記撮像素子１２６は、前記第二の光軸０１２に沿って設けられ、
前記第一の空間ＳＡ１および第二の空間ＳＡ２は、前記第一の光軸Ｏ１と前記第二の光軸Ｏ２とを含む平面を境として一方に存在する第一の領域Ｅ１および他方に存在する第二の領域Ｅ２にそれぞれ形成されていることを特徴としている。
【００６２】
上記撮影レンズユニット１００においては、前記［２］と同様の効果が、折り曲げ光学系１ＰＸを有する撮影光学系を備えた撮影レンズユニット１００において、より一層確実に得られる。したがって電子カメラに適用した場合において、カメラ本体１のコンパクト化が、より確実に実現可能となる。
【００６３】
［５］実施形態に示された撮影レンズユニット１００は、前記［２］又は［４］に記載の撮影レンズユニットであって、
前記フレキシブルプリント基板１５０は、複数のプリント基板１５１，１５２〜からなり、且つ各プリント基板１５１，１５２〜は略同一部位で同方向に屈曲され、屈曲により生じた撓み部１５０ａが、前記第二の空間ＳＡ２に対して重なり合った状態で収容可能となっていることを特徴としている。
【００６４】
上記撮影レンズユニット１００においては、複数のフレキシブルプリント基板１５１，１５２〜が屈曲されることにより生じた撓み部１５０ａが、第二の空間ＳＡ２内に一括して収容される。このため、複数のフレキシブルプリント基板１５１，１５２〜がそれぞれ個別に収容される場合に比べると、鏡筒内のスペースの有効利用が確実にはかられ、撮影レンズユニット１００の小型化，薄型化が実現可能である。
【００６５】
［６］実施形態に示された撮影レンズユニット１００は、前記［２］又は［４］又は［５］に記載の撮影レンズユニットであって、
前記フレキシブルプリント基板１５０の一端部が、前記レンズ保持枠１３３の所定位置に固定されており、当該レンズ保持枠１３３の一部に、当該レンズ保持枠１３３の動きに伴う上記フレキシブルプリント基板１５０の撓み部１５０ａの変動範囲を規制するための規制部材１５５が設けられていることを特徴としている。
【００６６】
上記撮影レンズユニット１００においては、レンズ保持枠１３３の移動に伴ってフレキシブルプリント基板１５０の撓み方が大きく変化しても、規制部材１５５によって上記フレキシブルプリント基板１５０の撓み部１５０ａの変動範囲が一定範囲内に規制される。このため上記フレキシブルプリント基板１５０の一部が撮影光学系の光路内に侵入して当該光路を遮る等のおそれがない。
【００６７】
［７］実施形態に示された撮影レンズユニット１００は、
第一の光軸０１１に沿って被写体から入射した光を、反射部材（プリズム１１２等）により上記第一の光軸０１１に対して略直交する第二の光軸０１２に沿って反射させる折り曲げ光学系１ＰＸを有する撮影光学系１０５を備えた撮影レンズユニット１００であって、、
光入射端を有するレンズ鏡筒１２０と、
このレンズ鏡筒１２０の光入射端から入射した光に基づく被写体像を結像可能な如く設けられた少なくともズーム用レンズ群（２群レンズ１２２）及びフォーカス用レンズ群（３群レンズ１２３）を含む撮影レンズ群（１群レンズ１２１〜３群レンズ１２３）と、
この撮影レンズ群（１群レンズ１２１〜３群レンズ１２３）により結像された被写体像を光電変換するように前記レンズ鏡筒１２０に設けられた撮像素子１２６と、
この撮像素子１２６の受光面前方における前記撮影レンズ群（１群レンズ１２１〜３群レンズ１２３）の光軸０１２に沿って配置された光学部材１３０（４群レンズ１２４，ローパスフィルター１２５）と、
前記撮影レンズ群（１群レンズ１２１〜３群レンズ１２３）の中のズーム用レンズ群（２群レンズ１２２）を駆動するためのズーム用アクチュエータ（ズームモータ１８０）と、
前記撮影レンズ群（１群レンズ１２１〜３群レンズ１２３）の中のフォーカス用レンズ群（３群レンズ１２３）を駆動するためのフォーカス用アクチュエータ（ＡＦモータ１４０）とを備え、
前記光学部材１３０（４群レンズ１２４，ローパスフィルター１２５）の一方側の外面と前記レンズ鏡筒１２０の内面との間に、前記フォーカス用アクチュエータ（ＡＦモータ１４０）を収容可能な空間が形成されていることを特徴としている。
【００６８】
［８］実施形態に示された撮影レンズユニット１００は、前記［７］に記載の撮影レンズユニットであって、
前記ズーム用アクチュエータ（ズームモータ１８０）及び前記フォーカス用アクチュエータ（ＡＦモータ１４０）は、いずれも前記第一の光軸０１１と前記第二の光軸０１２とを含む平面を境として一方に存在する第一の領域Ｅ１内に配置され、前記ズーム用アクチュエータ（ズームモータ１８０）と前記フォーカス用アクチュエータ（ＡＦモータ１４０）との間に、前記撮影レンズ群（１群レンズ１２１〜３群レンズ１２３）のうちの少なくとも一つのレンズが配置されていることを特徴としている。
【００６９】
上記撮影レンズユニット１００においては、ズーム用アクチュエータ（ズームモータ）及び前記フォーカス用アクチュエータ（ＡＦモータ１４０）がレンズ鏡筒１２０内に整然と配置されるので、レンズ鏡筒１２０内のスペースが有効に活用され得る。
【００７０】
［９］実施形態に示された撮影レンズユニット１００は、前記［８］に記載の撮影レンズユニットであって、
前記ズーム用アクチュエータ（ズームモータ１８０）は、前記レンズ鏡筒１２０の前部外方であって、且つ前記第一の領域Ｅ１内の前記反射部材（プリズム１１２等）に近接した位置に配置されていることを特徴としている。
【００７１】
上記撮影レンズユニット１００においては、第二の光軸方向の寸法を小さくでき、小型化が図れる。
【００７２】
［１０］実施形態に示された電子カメラは、
前記［１］ないし［９］のいずれか一つに記載の撮影レンズユニット１００を内蔵したことを特徴としている。
【００７３】
（変形例）
実施形態に示された撮影レンズユニットおよび電子カメラは、下記の変形例を含んでいる。
【００７４】
・折り曲げ光学系の反射部材としてミラーを用いたもの。
・カム面がカムレバーの一端縁に沿って設けられたカム部を有するもの。
【００７５】
【発明の効果】
本発明によれば、下記のような作用効果を有する撮影レンズユニットおよび電子カメラを提供できる。
【００７６】
（ａ）ズーム用アクチュエータ及びフォーカス用アクチュエータが整然と配置されるのでレンズ鏡筒のスペースが有効に活用される。したがってアクチュエータ類をレンズ鏡筒に対してコンパクトに配置でき、装置の薄型化ないし小型化を図れる。
【００７７】
（ｂ）構成は簡単であり、容易に製作する事ができる。
【図面の簡単な説明】
【図１】本発明の第１実施形態に係る電子カメラの概略的構成を示す図で、（ａ）は電子カメラの概要を示す略式外観図、（ｂ）は撮影レンズユニットを裏蓋を取外して示す外観斜視図である。
【図２】本発明の第１実施形態に係る撮影レンズユニットをメイン機構とズーム機構と裏蓋とに分離して示す分解斜視図。
【図３】本発明の第１実施形態に係る撮影レンズユニットの主要部を正面から見た断面図で、（ａ）はWIDE［広角］状態、（ｂ）はTELE［望遠］状態を示す図。
【図４】本発明の第１実施形態に係る撮影レンズユニットの主要部を上面から見た略式断面図。
【図５】本発明の第１実施形態に係る撮影レンズユニットのファインダ駆動手段の構成を駆動部材と共に示す図、（ａ）は主要部の側面図、（ｂ）は（ａ）のｂ−ｂ矢視断面図。
【図６】本発明の第１実施形態に係る撮影レンズユニットと光学ファインダユニットとの対応関係を示す図で、（ａ）は撮影レンズユニットと光学ファインダユニットとを分離して示す斜視図、（ｂ）はファインダ光学系の概略的構成を示す略式平面図。
【図７】本発明の第１の実施形態に係る光学ファインダユニットの構成を示す分解斜視図。
【図８】本発明の第１実施形態に係るカムレバーと、ファインダ光学系における観察用ズームレンズを含む複数の移動レンズとの関係（WIDE［広角］状態）を示す図。
【図９】本発明の第１実施形態に係るカムレバーと、ファインダ光学系における観察用ズームレンズを含む複数の移動レンズとの関係（TELE［望遠］状態）を示す図。
【図１０】本発明の第１実施形態に係るピン挿入操作用の切欠部を利用して、駆動ピンをカム部に挿入操作する手順を示す図。
【図１１】本発明の第１実施形態に係る駆動ピンの移動量と移動レンズの移動量との関係を模式的に示す特性図。
【符号の説明】
１…カメラ本体    １００…撮影レンズユニット
１０５…撮影光学系
１１０，２２４…光軸折り曲げ機構
１ＰＸ，２ＰＸ…折り曲げ光学系
１ＰＡ，２ＰＡ…折り曲げ前光学系
１ＰＢ，２ＰＢ…折り曲げ後光学系
０１１，０２１…第一の光軸（入射光軸）
０１２，０２２…第二の光軸
１２０…レンズ鏡筒
１２１〜１２３…１群レンズ〜３群レンズ
１２５…ローパスフィルター
１２６…撮像素子
１３０…光学部材        １３４…保持枠
１３１〜１３３…１群〜３群レンズ保持枠
１４０…ＡＦモータ    １５５…規制部材
１５０（１５１，１５２）…フレキシブルプリント基板
１６０…シャッタユニット
１８０…ズームモータ
１９０…変位伝達用スライダー
１９１…駆動部材    １９２…摺動部材
１９３…駆動ピン
２００…光学ファインダユニット
２０５…ファインダ光学系
２２１〜２２３…１群レンズ〜３群レンズ
２８２，２８３…２群，３群レンズ保持枠
２４０，２５０…カムレバー
２４３，２５３…カム部（スリット）
２４３ａ，２５３ａ…ピン挿入操作用の切欠部
２７０…支軸
【図１】
0003880376.tif 000002
【図２】
0003880376.tif 000003
【図３】
0003880376.tif 000004
【図４】
0003880376.tif 000005
【図５】
0003880376.tif 000006
【図６】
0003880376.tif 000007
【図７】
0003880376.tif 000008
【図８】
0003880376.tif 000009
【図９】
0003880376.tif 000010
【図１０】
0003880376.tif 000011
【図１１】
0003880376.tif 000012